(57)【特許請求の範囲】
【請求項１】
表側編地部と裏側編地部とが筒状に繋がる筒状編地部と、その筒状編地部に繋ぎ合わされた単層編地部と、を備えるニットウェアにおいて、
前記筒状編地部を構成する裏側編地部のうち、前記単層編地部側の少なくとも１目の編幅を持った部分を部分編地部、その部分編地部を除いた残りの部分を残部編地部としたとき、
前記単層編地部と前記部分編地部とが第一編糸で編成され、前記残部編地部と前記表側編地部とが第二編糸で編成され、かつ、
前記単層編地部と前記表側編地部とが無縫製で接合され、前記部分編地部と前記残部編地部とが無縫製で接合されており、
前記部分編地部を構成する編目のうち、少なくとも前記単層編地部側の編目は、前記ニットウェアを表側から見たときに表目であることを特徴とするニットウェア。
【請求項２】
前記単層編地部と前記表側編地部との接合は、タックにより行なわれていることを特徴とする請求項１に記載のニットウェア。
【請求項３】
前記第二編糸を用いて編成され、前記表側編地部における前記単層編地部側の端部に繋がり、その単層編地部の裏側に配置される追加編地部を備え、
前記単層編地部と前記表側編地部との接合は、前記第一編糸における前記単層編地部と前記部分編地部とを繋ぐ部分と、前記第二編糸における前記表側編地部と前記追加編地部とを繋ぐ部分と、の交差により行なわれていることを特徴とする請求項１に記載のニットウェア。
【請求項４】
前記残部編地部における前記部分編地部側の端部が、その端部にほぼ対向する位置にある前記表側編地部と繋がっていることを特徴とする請求項１〜３のいずれか一項に記載のニットウェア。
【発明の詳細な説明】
【技術分野】
【０００１】
本発明は、筒状編地部と、その筒状編地部に繋ぎ合わされた単層編地部と、を備えるニットウェアに関する。
【背景技術】
【０００２】
少なくとも前後一対の針床を備える横編機を用いて、例えば、ポロシャツやカーディガンなど、身頃が左右に分かれた部分を有するニットウェアを編成することが行なわれている。その左右に分かれた部分に、身頃のベースとなる部分とは異なる編糸からなる前立て部が形成される場合がある（例えば、特許文献１を参照）。
【先行技術文献】
【特許文献】
【０００３】
【特許文献１】特開２０１１-８９２２５号公報
【発明の概要】
【発明が解決しようとする課題】
【０００４】
身頃に前立て部を設けたニットウェアとして、デザイン上、アクセントとして前立て部がニットウェアの表側に膨らんだニットウェアが求められることがある。そのようなニットウェアを作製する一般的な手法としては、例えば、前立て部を編幅方向の一端が開口した筒状編地部を別編成とし、その筒状編地部の表側編地部と裏側編地部との間に、単層編地部である身頃のベース編地部を挟み込んで、縫製する手法（リンキング）が挙げられる。このリンキングは、前立て部を別途用意する手間、および前立て部を縫製する手間がかかるため、無縫製で前立て部を身頃に一体に編成しつつ、前立て部に膨らみを持たせることが望まれている。しかし、無縫製でベース編地部（単層編地部）と前立て部（筒状編地部）とを繋ぎ合わせたニットウェアは、上記特許文献１などで公知であるものの、そのニットウェアでは、ベース編地部と前立て部が連続して編成されており、両者はフラットに繋がる。そのため、前立て部に膨らみを持たせた無縫製のニットウェアは、現在のところ提案されていない。
【０００５】
本発明は、上記事情に鑑みてなされたものであり、その目的は、筒状編地部と単層編地部とを無縫製で繋ぎ合わせ、かつ筒状編地部の側に膨らみを持たせたニットウェアを提供することにある。
【課題を解決するための手段】
【０００６】
本発明ニットウェアは、表側編地部と裏側編地部とが筒状に繋がる筒状編地部と、その筒状編地部に繋ぎ合わされた単層編地部と、を備える。この本発明ニットウェアでは、筒状編地部を構成する裏側編地部のうち、単層編地部側の少なくとも１目の編幅を持った部分を部分編地部、その部分編地部を除いた残りの部分を残部編地部としたとき、単層編地部と部分編地部とが第一編糸で編成され、残部編地部と表側編地部とが第二編糸で編成され、かつ、単層編地部と表側編地部とが無縫製で接合され、部分編地部と残部編地部とが無縫製で接合されている。そして、本発明ニットウェアを構成する部分編地部を構成する編目のうち、少なくとも単層編地部側の編目は、ニットウェアを表側から見たときに表目であることを特徴とする。なお、当該表目は、編幅方向に少なくとも１目あれば良いが、編幅方向に２〜３目並んであることが好ましい。
【０００７】
本発明ニットウェアの一形態として、単層編地部と表側編地部との接合は、タックにより行なわれている形態を挙げることができる。その場合、表側編地部の編成に利用する第二編糸を単層編地部にタックする方が、単層編地部の編成に利用する第一編糸を表側編地部にタックするよりも単層編地部と表側編地部との境界部を見栄え良く仕上げることができる。なお、部分編地部と残部編地部との接合は、タックにより行なわれていることが好ましい。
【０００８】
本発明ニットウェアの一形態として、単層編地部と表側編地部との接合は、第一編糸と第二編糸との交差により行なわれている形態を挙げることができる。その場合、後述する編成例２に示すように、第二編糸を用いて編成され、表側編地部における単層編地部側の端部に繋がり、その単層編地部の裏側に配置される追加編地部を形成する。そして、第一編糸における単層編地部と部分編地部とを繋ぐ部分と、第二編糸における表側編地部と追加編地部とを繋ぐ部分とを交差させることで、単層編地部と表側編地部とが接合される。なお、部分編地部と残部編地部との接合は、タックにより行なわれていることが好ましい。
【０００９】
本発明ニットウェアの一形態として、残部編地部における部分編地部側の端部が、その端部にほぼ対向する位置にある前記表側編地部と繋がっている形態を挙げることができる。
【発明の効果】
【００１０】
本発明ニットウェアは、単層編地部と筒状編地部とが無縫製で接合されたニットウェアであって、筒状編地部の表側編地部うち、単層編地部側の部分がニットウェアの表側に膨らんだニットウェアである。表側編地部がニットウェアの表側に膨らむのは、筒状編地部の裏側編地部の一部である部分編地部に形成される表目が、表側編地部を裏側から押すからである。この本発明ニットウェアは、無縫製で編成されるため、生産性に優れる。また、本発明ニットウェアは、接合される単層編地部と筒状編地部との間に縫製箇所がないため、伸縮性に富む。
【００１１】
単層編地部と筒状編地部の表側編地部とをタックにより接合した本発明ニットウェアは、ニットウェアを編幅方向に引っ張っても、単層編地部と筒状編地部との境界部に孔が空き難いニットウェアである。単層編地部と筒状編地部の表側編地部とがタックにより強固に接合され、両編地の境界部で編目間の間隔が空き難いからである。
【００１２】
単層編地部と筒状編地部の表側編地部とを第一編糸と第二編糸との交差により接合した本発明ニットウェアは、単層編地部と筒状編地部との境界部の見栄えが良いニットウェアである。当該境界部に接合のための重ね目が形成されないからである。
【００１３】
残部編地部における部分編地部側の端部と表側編地部とを繋げることで、筒状編地部の表側編地部と裏側編地部の部分編地部との間が開かないように両編地部を繋ぎ合わせることができる。その結果、部分編地部を表側編地部に押し付けることができ、部分編地部の表目で効果的に表側編地部をニットウェアの表側に膨らませることができる。
【図面の簡単な説明】
【００１４】
【図１】（Ａ）は、実施形態に記載されるカーディガン（ニットウェア）の概略図、（Ｂ）は、（Ａ）のＢ−Ｂ断面図である。
【図２】編成例１に記載されるニットウェアの編成方法の編成工程図である。
【図３】編成例２に記載されるニットウェアの編成方法の編成工程図である。
【発明を実施するための形態】
【００１５】
以下、本発明ニットウェアの実施形態として、横編機で編成されたカーディガンを例にして説明する。
【００１６】
図１（Ａ）のカーディガン１は、前身頃２と後身頃３とを備え、前身頃２は右前身頃部２Ｒと左前身頃部２Ｌとに分かれている。右前身頃部２Ｒは、ベース編地部２０Ｒと、このベース編地部２０Ｒに接合される前立て部２５Ｒと、を有する（左前身頃部２Ｌも同様の構成を備えるので、その説明は省略する）。このカーディガン１の最も特徴とするところは、ベース編地部２０Ｒと、前立て部２５Ｒとの接合状態にある。以下、図１（Ａ）のＢ−Ｂ断面図である図１（Ｂ）を参照し、ベース編地部２０Ｒと前立て部２５Ｒとの接合状態を説明すると共に、図２、図３を参照し、その接合状態を作り出すための編成方法の一例を説明する。
【００１７】
図１（Ｂ）に示すように、ベース編地部２０Ｒは筒状になっていない単層編地部であり、前立て部２５Ｒはカーディガン１の厚み方向に重なる表側編地部５Ｆと裏側編地部５Ｂを備える筒状編地部である。このカーディガン１では、前立て部２５Ｒを構成する裏側編地部５Ｂが、ベース編地部２０Ｒ側の部分編地部５０と、この部分編地部５０を除いた残部編地部５９とに分けられており、部分編地部５０は、ベース編地部２０Ｒと同じ第一編糸でベース編地部２０Ｒに連続して編成されている。一方、残部編地部５９は、表側編地部５Ｆと同じ第二編糸で編成されている。
【００１８】
ベース編地部２０Ｒと前立て部２５Ｒの表側編地部５Ｆとは無縫製で接合されている（矢印αを参照）。また、前立て部２５Ｒの裏側編地部５Ｂを構成する部分編地部５０と残部編地部５９とは無縫製で接合されている（矢印βを参照）。つまり、カーディガン１では、ベース編地部２０Ｒが従来構成よりも前立て部２５Ｒ側に延長され、その延長された部分が前立て部２５Ｒの一部となる部分編地部５０を構成している。ここで、延長された部分は、カーディガン１の裏側にあるため、カーディガン１の見栄えが損なわれることはない。
【００１９】
さらに、本実施形態のカーディガン１では、部分編地部５０を構成する編目のうち、少なくともベース編地部２０Ｒ側の編目は、カーディガン１を表側から見たときに表目となっている。表目はカーディガン１の表面側に凸となるため、表側編地部５Ｆのうち、部分編地部５０に重なる部分が、部分編地部５０に押されて、カーディガン１の表側に膨らむ。
【００２０】
以上説明したカーディガン１におけるベース編地部２０Ｒと前立て部２５Ｒの具体的な編成例を二つ説明する。これら編成例はいずれも、左右方向に延び、かつ、前後方向に互いに対向する下部前針床（以下、ＦＤ）と下部後針床（以下、ＢＤ）、およびこれらＦＤとＢＤの上方に設けられ、下部の針床と同ピッチで多数の編針が列設された上部前針床（以下、ＦＵ）と上部後針床（以下、ＢＵ）を備える４枚ベッド横編機を用いた編成例である。この横編機は、前後の針床間で編目の目移しが可能であり、しかも横編機に備わるＢＤ，ＢＵは左右にラッキング可能である。
【００２１】
≪編成例１≫
編成例１では、図１（Ｂ）の矢印αの部分をタックにより接合するニットウェアの編成方法を説明する。図２は、その編成工程図である。図中の左欄に記載される「アルファベット＋数字」は編成工程の番号を、中欄の左右方向の矢印および上下方向の矢印はそれぞれ、給糸口の移動方向（Ｋはニットを伴う）および編目の目移しの方向を示す。また、図中の右欄は、各編成工程で実際に行なった編成動作を示し、黒点は編針、●は新たに形成する編目、○は旧編目、Ｖ字はタック目を示す。なお、右欄のＡ〜ＱはＦＤまたはＦＵの編針の位置、ａ〜ｑはＢＤまたはＢＵの編針の位置、点線Ｘ−Ｘはベース編地部２０Ｒと前立て部２５Ｒとの境界部を示す。
【００２２】
Ｓ１には、給糸口８から給糸される第一編糸を用いて、ＢＤの編針ｋ〜ｉに部分編地部５０の編目列を、ＦＤの編針Ｈ〜Ａにベース編地部２０Ｒの編目列を編成した状態が示されている。また、Ｓ１には、給糸口９から給糸される第二編糸を用いて、ＦＤの編針Ｉ〜Ｑに表側編地部５Ｆの編目列を、ＢＤの編針ｌ〜ｑに残部編地部５９の編目列を編成した状態も示されている。給糸口８は紙面左側、給糸口９は紙面右側に配置されている。給糸口８は、給糸口９よりも前針床（ＦＤ，ＦＵ）寄りの給糸口である。
【００２３】
Ｓ２では、ＢＤの編針ｉ，ｊに係止される部分編地部５０の編目を、ＦＵの編針Ｉ，Ｊに目移しする。なお、ＢＤの編針ｋに係止される部分編地部５０の端部編目もＦＵに目移ししても良い。部分編地部５０の端部編目をＢＤに残しているのは、上記部分編地部５０の編目の目移しと、次のＳ３，Ｓ４の編成を安定させるためである。
【００２４】
Ｓ３，Ｓ４では、給糸口８を往復させて、ＦＤの編針Ａ〜Ｈでベース編地部２０Ｒの編目列を、ＦＵの編針Ｉ，ＪとＢＤの編針ｋで部分編地部５０の編目列を編成する。
【００２５】
Ｓ５では、Ｓ４において編成した部分編地部５０の編目をＦＵの編針Ｉ，ＪからＢＤの編針ｉ，ｊに目移しする。この二つの編目は、ＦＵで編成したため、カーディガン１を表側から見たときに表目となる。このＳ５は、次のＳ６以降で前立て部２５Ｒの表側編地部５Ｆを編成する際、その表側編地部５Ｆに部分編地部５０が編み込まれないようにするために必須の工程である。
【００２６】
Ｓ６では、給糸口９をベース編地部２０Ｒ側に移動させ、ＦＤの編針Ｑ〜Ｉで表側編地部５Ｆの編目列を編成する。そして、Ｓ７では、給糸口９を前立て部２５Ｒ側に移動させ、ＦＤの編針Ｈに係止されるベース編地部２０Ｒの編目にタックを行なった後、ＦＤの編針Ｉ〜Ｋで表側編地部５Ｆの編目列の一部を、ＢＤの編針ｌ〜ｑで残部編地部５９の編目列を編成する。Ｓ７においてベース編地部２０Ｒの編目にタックを行なうことで、ベース編地部２０Ｒと前立て部２５Ｒとを境界部Ｘで接合することができる。また、Ｓ７において表側編地部５Ｆを途中まで編成し、続いて残部編地部５９（裏側編地部５Ｂ）を編成することで、部分編地部５０と残部編地部５９との境界の位置で、表側編地部５Ｆと裏側編地部５Ｂとが繋ぎ合わされる。
【００２７】
Ｓ８では、給糸口９をベース編地部２０Ｒ側に移動させ、ＦＤの編針Ｑ〜Ｌで表側編地部５Ｆの編目列の一部（Ｓ７で編成しなかった部分）を編成し、Ｓ９では、給糸口９を前立て部２５Ｒ側に移動させて、ＢＤの編針ｋに係止される部分編地部５０の編目にタックを行なった後、ＢＤの編針ｌ〜ｑで残部編地部５９の編目列を編成する。Ｓ９のタックにより、部分編地部５０と残部編地部５９とを無縫製で接合することができる。このＳ９により部分編地部５０の編幅方向の両端部が固定され、部分編地部５０が表側編地部５Ｆを裏側から押すことができる状態になる。特に、本編成例では、上記Ｓ７で表側編地部５Ｆと裏側編地部５Ｂとを繋ぎ合わせているため、裏側編地部５Ｂの一部である部分編地部５０と、表側編地部５Ｆと、の間が空き難く、部分編地部５０を効果的に表側編地部５Ｆに押し付けることができる。
【００２８】
以降は、Ｓ２〜Ｓ９を繰り返して、ベース編地部２０Ｒと前立て部２５Ｒの編成コースを増しつつ、両者２０Ｒ，２５Ｒを接合する。以上説明した編成例１によれば、主として表目で構成される部分編地部５０によって前立て部２５Ｒの表側編地部５Ｆをカーディガンの表面側に膨らませることができる。
【００２９】
≪編成例２≫
編成例２では、図１（Ｂ）の矢印αの部分を、第一編糸と第二編糸の交差により接合するニットウェアの接合方法を説明する。図３はその編成工程図であり、この図３の見方は図２と同様である。なお、本編成例２により図１（Ｂ）の矢印αの部分を接合した場合、図１（Ｂ）には示していないが、表側編地部５Ｆがベース編地部２０Ｒの裏側に延長された状態になる（後述する図３の追加編地部５５を参照）。
【００３０】
図３のＴ１には、編成例１と同様に給糸口８からの第一編糸でベース編地部２０Ｒと部分編地部５０の編目列を、給糸口９からの第二編糸で残部編地部５９と表側編地部５Ｆの編目列を編成した状態が示されている。本編成例２ではさらに、給糸口９からの第二編糸で、ＢＤの編針ｆ〜ｈにも追加の編地部５５を編成した。この追加編地部５５は、表側編地部５Ｆに連続しており、ベース編地部２０Ｒの裏側に配置されている。
【００３１】
Ｔ２〜Ｔ４では、編成例１のＳ２〜Ｓ４と同じ編成を行ない、ベース編地部２０Ｒと部分編地部５０の編目列を増す。
【００３２】
Ｔ５では、Ｔ４において編成し、ＦＵの編針Ｉ，Ｊに係止される部分編地部５０の編目をＢＤの編針ｉ，ｊに目移しすると共に、ＢＤの編針ｇ，ｈに係止される追加編地部５５の編目をＦＵの編針Ｇ，Ｈに目移しする。なお、部分編地部５０の目移しは、後工程で部分編地部５０が表側編地部５Ｆに編み込まれないようにするために必須の工程であるが、追加編地部５５の目移しは必須の工程ではない。追加編地部５５の一部を目移しし、追加編地部５５に表目と裏目を混在させたのは、追加編地部５５が丸まることを抑制するためである。
【００３３】
Ｔ６では、ＦＤの編針Ｑ〜Ｉで表側編地部５Ｆの編目列を、ＦＵの編針Ｈ，Ｇ、およびＢＤの編針ｆで追加編地部５５の編目列を編成する。そして、Ｔ７では、ＦＵの編針Ｈ，Ｇ、およびＢＤの編針ｆで追加編地部５５の編目列を、ＦＤの編針Ｉ〜Ｋで表側編地部５Ｆの一部の編目列と、ＢＤの編針Ｌ〜Ｑで残部編地部５９の編目列を編成する。以上説明した一連の編成（Ｔ２〜Ｔ７）によって、第一編糸におけるベース編地部２０Ｒと部分編地部５０とを繋ぐ部分と、第二編糸における表側編地部５Ｆと追加編地部５５とを繋ぐ部分の交差が確定し、ベース編地部２０Ｒと前立て部２５Ｒとが境界部Ｘで無縫製に繋ぎ合わされる。また、Ｔ７において、表側編地部５Ｆと部分編地部５０との間が開かないように両編地部５Ｆ，５Ｂが繋ぎ合わされる。
【００３４】
Ｔ８では、Ｔ７においてＦＵの編針Ｇ，Ｈに編成した追加編地部５５の編目をＢＤの編針ｇ，ｈに目移しする。これは、次にベース編地部２０Ｒを編成するときに、追加編地部５５がベース編地部２０Ｒの表側に配置されないようにするためである。
【００３５】
Ｔ９では、給糸口９をベース編地部２０Ｒ側に移動させ、ＦＤの編針Ｑ〜Ｌで表側編地部５Ｆの編目列を編成し、Ｔ１０では、給糸口９を前立て部２５Ｒ側に移動させて、ＢＤの編針ｋに係止される部分編地部５０の編目にタックを行なった後、ＢＤの編針ｌ〜ｑで残部編地部５９の編目列を編成する。Ｔ１０のタックにより、部分編地部５０と残部編地部５９とを無縫製で接合することができる。
【００３６】
以降は、Ｔ２〜Ｔ１０を繰り返して、ベース編地部２０Ｒと前立て部２５Ｒの編成コースを増しつつ、両者２０Ｒ，２５Ｒを接合する。以上説明した編成例２によれば、編成例１と同様に、前立て部２５Ｒの表側編地部５Ｆをカーディガンの表面側に膨らませることができる。
【００３７】
≪その他の編成例≫
編成例１，２における表側編地部５Ｆと残部編地部５９の編成順序は変更することができる。例えば、図２のＳ７でＦＤの編針Ｈにタックを行なった後、ＦＤの編針Ｉ〜Ｑで表側編地部５Ｆの編目列を編成する。次いで、ＢＤの編針ｑ〜ｌで残部編地部５９の編目列を編成し、最後にＳ９と同じ編成を行なう。
【００３８】
なお、本発明は、上述した実施形態に限定されるわけではなく、本発明の実施形態は、本発明の要旨を逸脱しない範囲で適宜変更することができる。例えば、実施形態のニットウェアは、２枚ベット横編機で編成することもできる。その場合、隣接する編目の間に空針を設ける針抜き編成を行なうと良い。
【符号の説明】
【００３９】
１  カーディガン（ニットウェア）
２  前身頃  ３  後身頃
２Ｒ  右前身頃部
２０Ｒ  ベース編地部（単層編地部）  ２５Ｒ  前立て部（筒状編地部）
２Ｌ  左前身頃部
５Ｆ  表側編地部  ５Ｂ  裏側編地部
５０  部分編地部  ５９  残部編地部  ５５  追加編地部
８，９  給糸口
【図１】
0005955009.tif 000002
【図２】
0005955009.tif 000003
【図３】
0005955009.tif 000004